【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
放送信号で受信した放送番組の映像データを生成する生成手段と、
前記生成手段で生成される映像データに対応する放送番組の内容変化タイミングを示す属性情報を、放送信号から取得する取得手段と、
前記生成手段で生成された前記映像データにおける有効映像データ領域に収まる範囲から、前記有効映像データ領域よりも小さいサイズとなる表示用領域を設定する設定手段と、
前記設定手段で設定された表示用領域に含まれる映像データを番組映像として表示部に表示する表示手段と、を有し、
前記設定手段は、前記取得手段で取得した前記放送番組の内容変化タイミングを示す属性情報に基づいて、前記生成手段で生成された前記映像データの表示用領域を前記有効映像データ領域の範囲内で変更することを特徴とする表示信号制御装置。
【請求項２】
前記属性情報は、前記放送番組の放送開始時刻を示す情報を含み、
前記設定手段は、前記放送開始時刻に前記表示用領域を前記有効映像データ領域の範囲内で変更することを特徴とする請求項１に記載の表示信号制御装置。
【請求項３】
前記表示用領域は座標値によって予め複数設定されており、
前記設定手段は、複数の座標値から一つを選択することで、前記表示用領域を前記有効映像データ領域の範囲内で変更することを特徴とする請求項１に記載の表示信号制御装置。
【請求項４】
放送信号で受信した放送番組の映像データを生成する生成手段と、
ユーザの指示に基づいて表示部にグラフィックデータを出力する出力手段と、
前記生成手段で生成された前記映像データにおける有効映像データ領域に収まる範囲から、前記有効映像データ領域よりも小さいサイズとなる表示用領域を設定する設定手段と、
前記設定手段で設定された表示用領域に含まれる映像データを番組映像として前記表示部に表示する表示手段と、を有し、
前記表示手段は、前記出力手段で出力されたグラフィックデータを前記番組映像に合成して表示し、
前記設定手段は、グラフィックデータが前記表示部に表示されたことに応じて、前記生成手段で生成された前記映像データの表示用領域を前記有効映像データ領域の範囲内で変更することを特徴とする表示信号制御装置。
【請求項５】
前記表示用領域は座標値によって予め複数設定されており、
前記設定手段は、複数の座標値から一つを選択することで、前記表示用領域を前記有効映像データ領域の範囲内で変更することを特徴とする請求項４に記載の表示信号制御装置。
【請求項６】
ユーザの指示に基づいて表示部に表示するグラフィックデータを生成する生成手段と、
前記表示部に表示されたグラフィックデータを操作するための指示入力を受け付ける受付手段と、
前記生成手段で生成されたグラフィックデータの表示位置を設定する設定手段と、を有し、
前記受付手段で指示入力を受け付けたことに応じて、前記設定手段は、前記生成手段によって生成された当該指示入力に対応するグラフィックデータの表示位置を、前記指示入力の受付以前に表示されていたグラフィックデータの表示位置と異なる位置に設定することを特徴とする表示信号制御装置。
【請求項７】
前記グラフィックデータの表示位置は座標値によって予め複数設定されており、
前記設定手段は、複数の座標値から一つを選択することで、前記グラフィックデータの表示位置を設定することを特徴とする請求項６に記載の表示信号制御装置。
【請求項８】
放送信号で受信した放送番組の映像データを生成する生成手段と、
前記生成手段で生成される映像データに対応する放送番組から別の放送番組への遷移、又は放送番組とコマーシャルとの間の切り替わりを検出する検出手段と、
前記生成手段で生成された前記映像データにおける有効映像データ領域に収まる範囲から、前記有効映像データ領域よりも小さいサイズとなる表示用領域を設定する設定手段と、
前記設定手段で設定された表示用領域に含まれる映像データを番組映像として表示部に表示する表示手段と、を有し、
前記設定手段は、表示中の放送番組が次の放送番組に遷移したこと、又は放送番組とコマーシャルとの間の切り替わりを前記検出手段で検出したことに応じて、前記生成手段で生成された前記映像データの表示用領域を前記有効映像データ領域の範囲内で変更することを特徴とする表示信号制御装置。
【請求項９】
放送信号で受信した放送番組の映像データを生成する生成工程と、
前記生成工程で生成される映像データに対応する放送番組の内容変化タイミングを示す属性情報を、放送信号から取得する取得工程と、
前記生成工程で生成された前記映像データにおける有効映像データ領域に収まる範囲から、前記有効映像データ領域よりも小さいサイズとなる表示用領域を設定する設定工程と、
前記設定工程で設定された表示用領域に含まれる映像データを番組映像として表示部に表示する表示工程と、を有し、
前記設定工程は、前記取得工程で取得した前記放送番組の内容変化タイミングを示す属性情報に基づいて、前記生成工程で生成された前記映像データの表示用領域を前記有効映像データ領域の範囲内で変更することを特徴とする表示信号制御方法。
【請求項１０】
前記属性情報は、前記放送番組の放送開始時刻を示す情報を含み、
前記設定工程は、前記放送開始時刻に前記表示用領域を前記有効映像データ領域の範囲内で変更することを特徴とする請求項９に記載の表示信号制御方法。
【請求項１１】
前記表示用領域は座標値によって予め複数設定されており、
前記設定工程は、複数の座標値から一つを選択することで、前記表示用領域を前記有効映像データ領域の範囲内で変更することを特徴とする請求項９に記載の表示信号制御方法。
【請求項１２】
放送信号で受信した放送番組の映像データを生成する生成工程と、
ユーザの指示に基づいて表示部にグラフィックデータを出力する出力工程と、
前記生成工程で生成された前記映像データにおける有効映像データ領域に収まる範囲から、前記有効映像データ領域よりも小さいサイズとなる表示用領域を設定する設定工程と、
前記設定工程で設定された表示用領域に含まれる映像データを番組映像として前記表示部に表示する表示工程と、を有し、
前記表示工程は、前記出力工程で出力されたグラフィックデータを前記番組映像に合成して表示し、
前記設定工程は、グラフィックデータが前記表示部に表示されたことに応じて、前記生成工程で生成された前記映像データの表示用領域を前記有効映像データ領域の範囲内で変更することを特徴とする表示信号制御方法。
【請求項１３】
前記表示用領域は座標値によって予め複数設定されており、
前記設定工程は、複数の座標値から一つを選択することで、前記表示用領域を前記有効映像データ領域の範囲内で変更することを特徴とする請求項１２に記載の表示信号制御方法。
【請求項１４】
ユーザの指示に基づいて表示部に表示するグラフィックデータを生成する生成工程と、
前記表示部に表示されたグラフィックデータを操作するための指示入力を受け付ける受付工程と、
前記生成工程で生成されたグラフィックデータの表示位置を設定する設定工程と、を有し、
前記受付工程で指示入力を受け付けたことに応じて、前記設定工程は、前記生成工程で生成された当該指示入力に対応するグラフィックデータの表示位置を、前記指示入力の受付以前に表示していたグラフィックデータの表示位置と異なる位置に設定することを特徴とする表示信号制御方法。
【請求項１５】
前記グラフィックデータの表示位置は座標値によって予め複数設定されており、
前記設定工程は、複数の座標値から一つを選択することで、前記グラフィックデータの表示位置を設定することを特徴とする請求項１４に記載に表示信号制御方法。
【請求項１６】
放送信号で受信した放送番組の映像データを生成する生成工程と、
前記生成工程で生成される映像データに対応する放送番組から別の放送番組への遷移、又は放送番組とコマーシャル間との切り替わりを検出する検出工程と、
前記生成工程で生成された前記映像データにおける有効映像データ領域に収まる範囲から、前記有効映像データ領域よりも小さいサイズとなる表示用領域を設定する設定工程と、
前記設定工程で設定された表示用領域に含まれる映像データを番組映像として表示部に表示する表示工程と、を有し、
前記設定工程では、表示中の放送番組が次の放送番組に遷移したこと、又は放送番組とコマーシャル間との切り替わりを前記検出工程で検出したことに応じて、前記生成工程で生成された前記映像データの表示用領域を前記有効映像データ領域の範囲内で変更することを特徴とする表示信号制御方法。
【手続補正２】
【補正対象書類名】明細書
【補正対象項目名】００１４
【補正方法】変更
【補正の内容】
【００１４】
上記の目的を達成するために、本発明の実施形態における表示信号制御装置は、放送信号で受信した放送番組の映像データを生成する生成手段と、前記生成手段で生成される映像データに対応する放送番組の内容変化タイミングを示す属性情報を、放送信号から取得する取得手段と、前記生成手段で生成された前記映像データにおける有効映像データ領域に収まる範囲から、前記有効映像データ領域よりも小さいサイズとなる表示用領域を設定する設定手段と、前記設定手段で設定された表示用領域に含まれる映像データを番組映像として表示部に表示する表示手段と、を有し、前記設定手段は、前記取得手段で取得した前記放送番組の内容変化タイミングを示す属性情報に基づいて、前記生成手段で生成された前記映像データの表示用領域を前記有効映像データ領域の範囲内で変更することを特徴とする。
【手続補正３】
【補正対象書類名】明細書
【補正対象項目名】００１５
【補正方法】変更
【補正の内容】
【００１５】
上記の目的を達成するために、本発明の他の実施形態における表示信号制御装置は、放送信号で受信した放送番組の映像データを生成する生成手段と、ユーザの指示に基づいて表示部にグラフィックデータを出力する出力手段と、前記生成手段で生成された前記映像データにおける有効映像データ領域に収まる範囲から、前記有効映像データ領域よりも小さいサイズとなる表示用領域を設定する設定手段と、前記設定手段で設定された表示用領域に含まれる映像データを番組映像として前記表示部に表示する表示手段と、を有し、前記表示手段は、前記出力手段で出力されたグラフィックデータを前記番組映像に合成して表示し、前記設定手段は、グラフィックデータが前記表示部に表示されたことに応じて、前記生成手段で生成された前記映像データの表示用領域を前記有効映像データ領域の範囲内で変更することを特徴とする。
【手続補正４】
【補正対象書類名】明細書
【補正対象項目名】００１６
【補正方法】変更
【補正の内容】
【００１６】
上記の目的を達成するために、本発明のさらに他の実施形態における表示信号制御装置は、ユーザの指示に基づいて表示部に表示するグラフィックデータを生成する生成手段と、前記表示部に表示されたグラフィックデータを操作するための指示入力を受け付ける受付手段と、前記生成手段で生成されたグラフィックデータの表示位置を設定する設定手段と、を有し、前記受付手段で指示入力を受け付けたことに応じて、前記設定手段は、前記生成手段によって生成された当該指示入力に対応するグラフィックデータの表示位置を、前記指示入力の受付以前に表示されていたグラフィックデータの表示位置と異なる位置に設定することを特徴とする。
上記の目的を達成するために、本発明のさらに他の実施形態における表示信号制御装置は、放送信号で受信した放送番組の映像データを生成する生成手段と、前記生成手段で生成される映像データに対応する放送番組から別の放送番組への遷移、又は放送番組とコマーシャルとの間の切り替わりを検出する検出手段と、前記生成手段で生成された前記映像データにおける有効映像データ領域に収まる範囲から、前記有効映像データ領域よりも小さいサイズとなる表示用領域を設定する設定手段と、前記設定手段で設定された表示用領域に含まれる映像データを番組映像として表示部に表示する表示手段と、を有し、前記設定手段は、表示中の放送番組が次の放送番組に遷移したこと、又は放送番組とコマーシャルとの間の切り替わりを前記検出手段で検出したことに応じて、前記生成手段で生成された前記映像データの表示用領域を前記有効映像データ領域の範囲内で変更することを特徴とする。
【手続補正５】
【補正対象書類名】明細書
【補正対象項目名】００１７
【補正方法】変更
【補正の内容】
【００１７】
上記の目的を達成するために、本発明のさらに他の実施形態における表示信号制御方法は、放送信号で受信した放送番組の映像データを生成する生成工程と、前記生成工程で生成される映像データに対応する放送番組の内容変化タイミングを示す属性情報を、放送信号から取得する取得工程と、前記生成工程で生成された前記映像データにおける有効映像データ領域に収まる範囲から、前記有効映像データ領域よりも小さいサイズとなる表示用領域を設定する設定工程と、前記設定工程で設定された表示用領域に含まれる映像データを番組映像として表示部に表示する表示工程と、を有し、前記設定工程は、前記取得工程で取得した前記放送番組の内容変化タイミングを示す属性情報に基づいて、前記生成工程で生成された前記映像データの表示用領域を前記有効映像データ領域の範囲内で変更することを特徴とする。